(57)【要約】【課題】映像表示システムにおいて、製造コストを抑制し、動作モードの移行を精度よく行う。【解決手段】映像表示システムは、ＰＣとＬＣＤ装置とを含む。ＰＣは、通常動作モードと待機モードとを有する。ＬＣＤ装置は、通常表示モードとエネルギーセービングモードとを有する。ＰＣは、待機モードで動作しているときに、動作モード指示信号の送信、すなわち、Ｙ信号の垂直ブランキング期間における最初の１ライン分の信号をハイにして送信する処理を繰り返す。ＬＣＤ装置は、通常表示モードで動作しているとき、ＰＣから出力された映像信号を受信して、動作モード指示信号の検出、すわなち、Ｙ信号の垂直ブランキング期間における最初の１ライン分の信号レベルを検出する。そして、ハイである状態を所定回数以上検出したとき、動作モード切替リスト３４ｂに従って、動作モードを通常表示モードからエネルギーセービングモードに移行させる。【選択図】図５
2011128460.tif 000002
【特許請求の範囲】
【請求項１】
映像信号を出力する映像出力装置と、この映像出力装置に接続され、該映像出力装置から出力される映像信号に基づいて映像を表示する映像表示装置とを含む映像表示システムにおいて、
前記映像出力装置は、
走査期間と垂直ブランキング期間とを交互に繰り返して輝度信号を出力する輝度信号出力手段と、
前記輝度信号出力手段によって出力される垂直ブランキング期間中の輝度信号に、前記映像出力装置に対して動作モードの移行を指示する動作モード指示信号を重畳させて送信する指示信号送信手段とを備え、
該映像出力装置が待機モードで動作しているときに、前記指示信号送信手段を用いて、前記動作モード指示信号を前記映像表示装置に送信する処理を繰り返し、
前記映像表示装置は、
前記映像出力装置から出力される輝度信号を受信して入力する映像信号入力手段と、
前記映像信号入力手段によって入力される輝度信号に含まれる前記動作モード指示信号を検出する指示信号検出手段とを備え、
該映像表示装置が通常表示モードで動作しているときに、前記指示信号検出手段を用いて、前記動作モード指示信号を所定回数以上検出したときに、該映像表示装置の動作モードを前記通常表示モードから省エネモードに移行させることを特徴とする映像表示システム。
【発明の詳細な説明】
【技術分野】
【０００１】
本発明は、映像出力装置と、この映像出力装置から出力される映像を表示する映像表示装置とを備える映像表示システムに関する。
【背景技術】
【０００２】
従来から、パソコン（以下、ＰＣという）等の映像出力装置と、ＰＣに接続され、ＰＣから出力された映像信号に基づく映像を表示するディスプレイ等の映像表示装置とを含む映像表示システムが知られている。ＰＣは、通常動作モードや、ユーザによる操作を待つ待機モード等の複数の動作モードを有する。ディスプレイ装置は、通常表示モードや、省電力で動作するためのエナジーセービング動作モード（以下、省エネモード）等の複数の動作モードを有する。
【０００３】
ＰＣの動作モードが待機モードであるとき、ディスプレイ装置が自装置の動作モードを自動的に省エネモードに移行させて節電を行う映像表示システムが知られている（例えば、特許文献１及び２参照）。この種の映像表示システムでは、例えばＩ２Ｃ（Ｉｎｔｅｒ−Ｉｎｔｅｇｒａｔｅｄ  Ｃｉｒｃｕｉｔ）ライン等の専用ラインを設けてＰＣとディスプレイ装置とを接続することにより、ＰＣの動作モードが待機モードである旨をディスプレイ装置に通知している。しかしながら、この種の映像表示システムでは、動作モードを通知するための専用ラインを設ける必要があるため、設定上の負担が増加し、製造コストが抑制できないという問題がある。
【０００４】
これに対して、特許文献３には、ビデオ信号の水平又は垂直垂直ブランキング期間に、表示タイマリセット信号をビデオ信号線に重畳してディスプレイモニタに送信するコンピュータシステムが開示されている。このコンピュータシステムでは、専用ラインを設ける必要がないため、製造コストを抑制できるが、ビデオ信号にノイズが乗ることにより、ディスプレイモニタが、表示タイマリセット信号を誤検出することを抑制できないという新たな問題が生じる。
【先行技術文献】
【特許文献】
【０００５】
【特許文献１】特開２００８−１５８８１１号公報
【特許文献２】特開２００７−２０６２３３号公報
【特許文献３】特開２０００−２５９１４０号公報
【発明の概要】
【発明が解決しようとする課題】
【０００６】
本発明は、上述した問題点を解決するためになされたものであり、製造コストを抑制できると共に、動作モードの移行を精度よく行うことができる映像表示システムを提供することを目的とする。
【課題を解決するための手段】
【０００７】
上記目的を達成するために請求項１の発明は、映像信号を出力する映像出力装置と、この映像出力装置に接続され、該映像出力装置から出力される映像信号に基づいて映像を表示する映像表示装置とを含む映像表示システムにおいて、前記映像出力装置は、走査期間と垂直ブランキング期間とを交互に繰り返して輝度信号を出力する輝度信号出力手段と、前記輝度信号出力手段によって出力される垂直ブランキング期間中の輝度信号に、前記映像出力装置に対して動作モードの移行を指示する動作モード指示信号を重畳させて送信する指示信号送信手段とを備え、該映像出力装置が待機モードで動作しているときに、前記指示信号送信手段を用いて、前記動作モード指示信号を前記映像表示装置に送信する処理を繰り返し、前記映像表示装置は、前記映像出力装置から出力される輝度信号を受信して入力する映像信号入力手段と、前記映像信号入力手段によって入力される輝度信号に含まれる前記動作モード指示信号を検出する指示信号検出手段とを備え、該映像表示装置が通常表示モードで動作しているときに、前記指示信号検出手段を用いて、前記動作モード指示信号を所定回数以上検出したときに、該映像表示装置の動作モードを前記通常表示モードから省エネモードに移行させるものである。
【発明の効果】
【０００８】
本発明によれば、映像出力装置は垂直ブランキング期間中の輝度信号に動作モード指示信号を重畳させて送信し、映像入力装置は、自装置が通常表示モードで動作しているときに、動作モード指示信号を所定回数以上検出したとき、動作モードを通常表示モードから省エネモードに移行する。このように、映像出力装置が輝度信号に重畳させて動作モード指示信号を送信するため、映像出力装置と映像入力装置とを接続する専用の信号線を新たに設ける必要がないため、設計上の負担を軽減でき、映像表示システムの製造コストを抑制できる。
【０００９】
また、映像入力装置は、動作モード指示信号を所定回数以上検出したときに、通常表示モードから省エネモードに移行するので、例えばノイズ等によって動作モード指示信号を誤検出した場合であっても、所定回数以上検出しなければ省エネモードに移行しないため、動作モード指示信号の検出による動作モードの移行を精度よく行うことができる。
【図面の簡単な説明】
【００１０】
【図１】本発明の一実施形態に係るＰＣと、このＰＣに接続されたＬＣＤ装置とを含む映像表示システムの概略構成図。
【図２】上記ＰＣの内部構成を示すブロック図。
【図３】（ａ）は、上記ＰＣにおける動作モード指示信号の送信処理を説明する説明図であり、（ｂ）は、この送信処理における垂直垂直ブランキング期間内の動作モード指示信号を示す説明図。
【図４】上記ＬＣＤ装置の内部構成を示すブロック図。
【図５】上記ＬＣＤ装置における動作モード切替リストの一例を示すリスト。
【図６】上記ＰＣにおける動作モード指示信号の送信処理の手順を示すフローチャート。
【図７】上記ＬＣＤ装置における動作モード指示信号の受信処理の手順を示すフローチャート。
【発明を実施するための形態】
【００１１】
以下、本発明の一実施形態に係るＰＣ（Ｐｅｒｓｏｎａｌ  Ｃｏｍｐｕｔｅｒ；請求項における映像出力装置）と、ＬＣＤ装置（映像入力装置）とを含む映像表示システムについて、図１乃至図４を参照して説明する。図１は、ＰＣ２と、このＰＣ２に伝送ケーブル４を介して接続されたＬＣＤ装置３とを含む映像表示システム１の概略構成を示す。図２は、ＰＣ２の内部構成を示し、図３は、ＰＣ２の後述する動作モード指示信号の説明図を示し、図４は、ＬＣＤ装置３の内部構成を示す。
【００１２】
ＰＣ２は、伝送ケーブル４を介して映像信号をＬＣＤ装置３に出力するものである。ＬＣＤ装置３は、ＰＣ２から出力される映像信号に基づく映像を液晶パネル３１に表示するものである。
【００１３】
図２に示すように、ＰＣ２は、伝送ケーブル４の一端が接続される映像出力端子２１と、ネットワークインタフェース２２と、ユーザによって操作されるキーボードやマウス等を含む操作部２３と、各種情報を記録するメモリ２４と、制御用マイコン２５とを備える。
【００１４】
ネットワークインタフェース２２は、ＬＡＮケーブル（図示せず）を接続することにより、ＰＣ２をインターネット等のネットワークに接続するものである。メモリ２４は、制御用マイコン２５を動作させるためのプログラム２４ａを記憶する。
【００１５】
制御用マイコン２５は、映像信号出力部（輝度信号出力手段）２５ａと、指示信号送信部（指示信号送信手段）２５ｂと、動作モード切替部２５ｃとを有する。制御用マイコン２５は、ＰＣ２各部を通常の動作を行うように制御する通常動作モードと、ＰＣ２各部をユーザの操作指示を待つ動作を行うように制御する待機モード等の複数の動作モードを有する。
【００１６】
映像信号出力部２５ａは、色差信号や輝度信号等を含む映像信号を、映像出力端子２１に接続された伝送ケーブル４を介してＬＣＤ装置３に出力する。また、映像信号出力部２５ａは、走査期間と垂直ブランキング期間とを交互に繰り返して輝度信号を出力する。
【００１７】
指示信号送信部２５ｂは、ＰＣ２が待機モードで動作しているときに、映像信号出力部２５ａによって出力される垂直ブランキング期間中の輝度信号（以下、Ｙ信号という）に、ＬＣＤ装置３に対して動作モードの移行を指示する動作モード指示信号を重畳させて送信する処理を繰り返す。
【００１８】
具体的には、図３の（ａ）（ｂ）に示すように、指示信号送信部２５ｂによって送信される動作モード指示信号は、ＬＣＤ装置３の液晶パネル３１に表示される輝度信号の垂直ブランキング期間における最初の１ライン分に相当する期間Ｌの間のＹ信号をハイとしてＬＣＤ装置３に送信するものである。すなわち、指示信号送信部２５ｂは、垂直ブランキング期間におけるＹ信号を期間Ｌの間、ハイにすることによって、動作モード指示信号を送信する。
【００１９】
図４に示すように、ＬＣＤ装置３は、映像を表示する液晶パネル３１と、ＰＣ２と接続された伝送ケーブル４の他端が接続される映像入力端子（映像信号入力手段）３２と、ユーザによって操作される操作ボタン等を有する操作部３３と、各種情報を記録するメモリ３４と、制御用マイコン３５とを備える。また、ＬＣＤ装置３は、液晶パネル３１の駆動部（図示せず）を有している。
【００２０】
映像入力端子３２は、伝送ケーブル４を介してＰＣ２から出力される輝度信号を含む映像信号を受信して、受信した映像信号を制御用マイコン３５に入力する。メモリ３４は、制御用マイコン３５を動作させるためのプログラム３４ａと、ＰＣ２から送信される動作モード指示信号に対応する動作モードの切替情報を格納した動作モード切替リスト３４ｂとを記憶する。
【００２１】
制御用マイコン３５は、映像出力処理部３５ａと、指示信号検出部（指示信号検出手段）３５ｂと、動作モード切替部３５ｃとを有する。また、制御用マイコン３５は、自装置（ＬＣＤ装置３）を通常状態として動作させるように制御する通常表示モードと、消費電力を低減させるように自装置を動作させるエネルギーセービングモード等の複数の動作モードを有する。
【００２２】
映像出力処理部３５ａは、映像入力端子３２から入力された映像信号に基づく映像を液晶パネル３１に出力する。
【００２３】
指示信号検出部３５ｂは、映像入力端子３２によって入力される輝度信号に含まれる動作モード指示信号を検出する。具体的には、垂直ブランキング期間における最初の１ライン分の期間ＬのＹ信号がハイであるか否かを検出する。
【００２４】
動作モード切替部３５ｃは、ユーザによる操作指示や、動作モード切替リスト３４ｂに基づいて、自装置３の動作モードを例えば、通常表示モードからエネルギーセービングモードに切り替える処理を行う。
【００２５】
次に、動作モード切替リスト３４ｂの内容の一例について、図５に示すリストを参照して説明する。動作モード切替リスト３４ｂに示すように、垂直ブランキング期間における最初の１ライン分のＹ信号がロー（Ｌ）のとき、ＬＣＤ装置３は、ＬＣＤ装置側のエネルギーセービング（省エネ）設定に応じた状態（モード）のままである。一方、垂直ブランキング期間における最初の１ライン分のＹ信号がハイ（Ｈ）である状態を所定回数以上検出したとき、すなわち、ＰＣ２から動作モードの移行を指示されたとき、ＬＣＤ装置３の制御用マイコン２５は、エネルギーセービングモードになる。
【００２６】
次に、ＰＣ２における動作モード指示信号の送信処理について、図６に示すフローチャートを参照して説明する。ＰＣ２の制御用マイコン２５は、ＰＣ２が待機モードで動作しているときに（Ｓ１でＹＥＳ）、指示信号送信部２５ｂを用いて、動作モード指示信号をＬＣＤ装置３に送信する処理を繰り返す（Ｓ２）。具体的には、制御用マイコン２５は、指示信号送信部２５ｂを用いて、Ｙ信号の垂直ブランキング期間における最初の１ライン分の信号をハイにして送信する処理を繰り返す。
【００２７】
一方、制御用マイコン２５は、自装置２が待機モードで動作していないとき（Ｓ１でＮＯ）、動作モード指示信号をＬＣＤ装置３に送信しない。すなわち、制御用マイコン２５は、Ｙ信号の垂直ブランキング期間における最初の１ライン分の信号をローのままで送信する処理を繰り返す（Ｓ３）。
【００２８】
次に、ＬＣＤ装置３における動作モード指示信号の受信処理について、図７に示すフローチャートを参照して説明する。ここでは、ＬＣＤ装置３が通常表示モードで動作しているものとする。また、ＰＣ２は、現在待機モードで動作しており、ＬＣＤ装置３に対して動作モード指示信号を送信しているものとする。
【００２９】
まず、映像入力端子３２は、ＰＣ２から出力された映像信号を受信して制御用マイコン３５に入力し（Ｓ１１）、制御用マイコン３５は、指示信号検出部３５ｂを用いて、動作モード指示信号の検出、すわなち、Ｙ信号の垂直ブランキング期間における最初の１ライン分の信号レベルを検出する（Ｓ１２）。
【００３０】
そして、指示信号検出部３５ｂが、動作モード指示信号を所定回数以上検出したとき、すなわち、垂直ブランキング期間における最初の１ライン分の信号がハイであるＹ信号を所定回数（例えば、１０回）以上検出したとき（Ｓ１３でＹＥＳ）、制御用マイコン３５は、動作モード切替リスト３４ｂの内容に従って、動作モード切替部３５ｃを用いて、自装置（ＬＣＤ装置３）の動作モードを通常表示モードからエネルギーセービングモードに移行させる（Ｓ１４）。一方、上記Ｓ１２の処理により、所定回数以上のハイを検出しなかった場合（Ｓ１３でＮＯ）、動作モードの移行を行うことなく、通常表示モードのままで動作させる（Ｓ１５）。
【００３１】
上述したように、本実施形態に係る映像表示システム１によれば、ＰＣ２は、垂直ブランキング期間のＹ信号に動作モード指示信号を重畳させて送信し、ＬＣＤ装置３は、自装置３が通常表示モードで動作しているときに、動作モード指示信号を所定回数以上検出したとき、動作モードを通常表示モードからエネルギーセービングモードに移行させる。このように、ＰＣ２がＹ信号に重畳させて動作モード指示信号を送信するため、ＰＣ２とＬＣＤ装置３とを接続するために専用の信号線を新たに設ける必要がないため、設計上の負担を軽減でき、映像表示システム１の製造コストを抑制できる。
【００３２】
また、ＬＣＤ装置３は、動作モード指示信号、すなわち、垂直ブランキング期間の最初の１ライン分の信号がハイである状態を所定回数以上検出したときに、通常表示モードからエネルギーセービングモードに移行するので、例えばノイズ等によって動作モード指示信号を誤検出した場合であっても、所定回数以上検出しなければエネルギーセービングモードに移行しない。そのため、動作モード指示信号の検出によるエネルギーセービングモードへの移行を精度よく行うことができる。
【００３３】
なお、本発明は、上記実施形態の構成に限られず、発明の趣旨を変更しない範囲で種々の変形が可能である。例えば、上記の実施形態において、請求項における映像出力装置がＰＣである例を示したが、本発明を構成する映像出力装置は、ＤＶＤレコーダ等の映像信号を出力する装置であってもよい。
【符号の説明】
【００３４】
１  映像表示システム
２  ＰＣ（映像出力装置）
３  ＬＣＤ装置（映像入力装置）
２５ａ  映像出力部（輝度信号出力手段）
２５ｂ  指示信号出力部（指示信号送信手段）
３２  映像入力端子（映像信号入力手段）
３５ｂ  指示信号検出部（指示信号検出手段）
【図１】
2011128460.tif 000003
【図２】
2011128460.tif 000004
【図３】
2011128460.tif 000005
【図４】
2011128460.tif 000006
【図５】
2011128460.tif 000007
【図６】
2011128460.tif 000008
【図７】
2011128460.tif 000009